(57)【要約】【課題】膜分離装置への配管を効率よく洗浄し、その状態で分離膜を薬液洗浄することにより、分離膜の洗浄効果を高めるとともに所定の洗浄効果を得るための薬液使用量を大幅に低減することが可能な、膜分離装置用洗浄装置および洗浄方法を提供する。【解決手段】膜分離装置へ被処理水を導入する被処理水導入管に、該被処理水導入管に供給された洗浄用水を実質的に膜分離装置へは導入させずに該被処理水導入管を通過させて排水する洗浄用水排水管を接続したことを特徴とする膜分離装置用洗浄装置、およびその配管洗浄後に分離膜を薬液洗浄する洗浄方法。【選択図】図１
2005046740.tif 000002
【特許請求の範囲】
【請求項１】
膜分離装置へ被処理水を導入する被処理水導入管に、該被処理水導入管に供給された洗浄用水を実質的に膜分離装置へは導入させずに該被処理水導入管を通過させて排水する洗浄用水排水管を接続したことを特徴とする膜分離装置用洗浄装置。
【請求項２】
前記被処理水導入管が膜分離装置の被処理水導入側ヘッダーへと接続されており、前記洗浄用水排水管が、前記被処理水導入管の前記被処理水導入側ヘッダーへの接続部上流側の位置に接続されている、請求項１の膜分離装置用洗浄装置。
【請求項３】
前記膜分離装置が複数並設されており、前記被処理水導入管および前記洗浄用水排水管が、各膜分離装置に対し共通の管として設けられている、請求項１または２の膜分離装置用洗浄装置。
【請求項４】
前記洗浄用水を膜分離装置からの濃縮水導出管にも供給可能な洗浄用水供給系を備えている、請求項１〜３のいずれかに記載の膜分離装置用洗浄装置。
【請求項５】
前記膜分離装置が、中空糸分離膜を有するものからなる、請求項１〜４のいずれかに記載の膜分離装置用洗浄装置。
【請求項６】
前記膜分離装置が、内圧型中空糸分離膜を有するものからなる、請求項５の膜分離装置用洗浄装置。
【請求項７】
前記膜分離装置に対し、薬液を通液して分離膜を洗浄する薬液洗浄系が設けられている、請求項１〜６のいずれかに記載の膜分離装置用洗浄装置。
【請求項８】
前記薬液洗浄系が循環系に構成されている、請求項７の膜分離装置用洗浄装置。
【請求項９】
前記循環系に固液分離装置が設けられている、請求項８の膜分離装置用洗浄装置。
【請求項１０】
前記循環系に、前記固液分離装置により分離された薬液を貯留する薬液タンクが設けられている、請求項９の膜分離装置用洗浄装置。
【請求項１１】
膜分離装置に薬液を通液してその分離膜を洗浄するとともに該薬液を循環させる薬液循環系を有し、該薬液循環系に、固液分離装置を設けたことを特徴とする膜分離装置用洗浄装置。
【請求項１２】
膜分離装置への被処理水導入管側と膜分離装置からの濃縮水導出管側との間に前記薬液循環系が設けられている、請求項１１の膜分離装置用洗浄装置。
【請求項１３】
前記薬液循環系に、前記固液分離装置により分離された薬液を貯留する薬液タンクが設けられている、請求項１１または１２の膜分離装置用洗浄装置。
【請求項１４】
膜分離装置へ被処理水を導入する被処理水導入管に洗浄用水を供給して少なくとも該被処理水導入管を洗浄するとともに、洗浄後の水を、実質的に膜分離装置へは導入させずに該被処理水導入管を通過させ、該被処理水導入管に接続された洗浄用水排水管を通して排出することを特徴とする膜分離装置用洗浄方法。
【請求項１５】
複数並設された膜分離装置に対し共通の管として設けられた被処理水導入管に洗浄用水を供給し、該被処理水導入管に接続された洗浄用水排水管を通して洗浄後の水を排出する、請求項１４の膜分離装置用洗浄方法。
【請求項１６】
前記洗浄用水を膜分離装置からの濃縮水導出管にも供給して少なくとも該濃縮水導出管を洗浄する、請求項１４または１５の膜分離装置用洗浄方法。
【請求項１７】
前記膜分離装置が、中空糸分離膜を有するものからなる、請求項１４〜１６のいずれかに記載の膜分離装置用洗浄方法。
【請求項１８】
前記膜分離装置が、内圧型中空糸分離膜を有するものからなる、請求項１７の膜分離装置用洗浄方法。
【請求項１９】
前記洗浄用水による洗浄後に、前記膜分離装置に対し薬液を通液して分離膜を洗浄する、請求項１４〜１８のいずれかに記載の膜分離装置用洗浄方法。
【請求項２０】
前記膜分離装置に対しその分離膜を洗浄するための薬液を循環、通液する、請求項１９の膜分離装置用洗浄方法。
【請求項２１】
洗浄に使用された薬液を固液分離し、分離された薬液を洗浄に再利用する、請求項２０の膜分離装置用洗浄方法。
【請求項２２】
膜分離装置に対しその分離膜を洗浄するための薬液を循環、通液するに際し、洗浄に使用された薬液を固液分離し、分離された薬液を洗浄に再利用することを特徴とする膜分離装置用洗浄方法。
【請求項２３】
分離された薬液を薬液タンクに貯留した後洗浄に再利用する、請求項２１または２２の膜分離装置用洗浄方法。
【発明の詳細な説明】
【技術分野】
【０００１】
本発明は、膜分離装置用洗浄装置および洗浄方法に関し、とくに、安価にかつ容易に高い洗浄効果が得られるようにした膜分離装置用洗浄装置および洗浄方法に関する。
【背景技術】
【０００２】
逆浸透膜やナノフィルトレーション膜等の分離膜を用いた膜分離装置に被処理水を通水することにより、被処理水中の濁質や微粒子状物、金属イオン成分など良好に分離除去し、高い水質の透過水を得ることができることが知られている。このような逆浸透膜やナノフィルトレーション膜等の分離膜を用いた膜分離装置を備えた系においては、通常、原水の導入経路にストレーナ等の濾過手段の後段に、凝集沈澱や砂濾過、膜処理などの前処理装置を設け、粗大粒子等から比較的大きな含有物を除去した後、該原水が被処理水として上記のような膜分離装置に供給される。つまり、いわゆる除濁処理を行った後、上記のような膜分離装置に被処理水としての原水が供給されるようになっている。また、ある期間膜分離処理を行った後、適宜、洗浄用薬液を膜分離装置に通液し、分離膜を洗浄して目詰まり等を回復させるようにしている。
【０００３】
ところが、現実には、膜分離装置を備えた系では、膜分離装置への被処理水導入管や濃縮水導出管にも被処理水中の濁質等が堆積し、例えば、被処理水の流れにのらないで重力によって配管内に沈降し、沈降した濁質等が配管内に付着して徐々に堆積し、この濁質等の堆積が膜分離装置の分離性能を低下させたり、分離膜の洗浄周期を短くしたりすることがある。とくに、上記のような逆浸透膜やナノフィルトレーション膜等の分離膜を用いた膜分離装置を備えた系において、システムの簡素化や設置面積の低減をはかるためには、上述したような除濁前処理を極力簡素化したり、省略したりすることが考えられるが、そうすると、この配管内での濁質等の堆積の問題が顕著に現れることになり、現状、前処理の省略等には至っていない。
【０００４】
また、配管内等における濁質等の堆積に対し、上記のような分離膜洗浄用の薬液を用いて分離膜の洗浄とともに配管等も洗浄することは可能であるが、そうすると、配管中等における濁質等の洗浄に多量の薬液が消費されてしまい、目的とした分離膜の薬液洗浄の効果が低下するか、あるいは、所望の分離膜洗浄効果を得るためには薬液の使用量が大幅に増加するという問題が生じる。
【０００５】
膜分離装置を備えたシステムにおける洗浄に関して、とくに中空糸膜モジュールを用いた膜分離装置の被処理水導入側ヘッダー内に堆積した固形物等の濁質を、原水を用いて洗浄、とくにヘッダー内に導入される原水に旋回流等の水流を発生させて洗浄するようにした装置が提案されている（特許文献１）。しかしながら、この提案では、水流によって除去された濁質等は原水導入側へと排出され、ヘッダー部分における濁質等による中空糸膜の閉塞は解消されるものの、本質的に上述したような導入側配管内に堆積した濁質等を除去することは意図していないため、上述した問題は解消されない。
【特許文献１】特開２００２−１２６４５９号公報
【発明の開示】
【発明が解決しようとする課題】
【０００６】
そこで本発明の課題は、少なくとも膜分離装置への被処理水導入管に対して容易に堆積物を除去できるようにするとともに除去物が膜分離装置の分離膜方向へは持ち込まれないようにして効率よく系外に排出し、まずこれらの部分を良好に洗浄し、その状態で分離膜を薬液洗浄することにより、分離膜の洗浄効果を高めるとともに所定の洗浄効果を得るための薬液使用量を大幅に低減することが可能な、膜分離装置用洗浄装置および洗浄方法を提供することにある。
【課題を解決するための手段】
【０００７】
上記課題を解決するために、本発明に係る膜分離装置用洗浄装置は、膜分離装置へ被処理水を導入する被処理水導入管に、該被処理水導入管に供給された洗浄用水を実質的に膜分離装置へは導入させずに該被処理水導入管を通過させて排水する洗浄用水排水管を接続したことを特徴とするものからなる。供給された洗浄用水により被処理水導入管内に堆積していた濁質等が洗い流されて除去され、除去された濁質等は膜分離装置側には流されずにそのまま洗浄用水排水管を通して排出されるので、除去された濁質等の分離膜への再付着が防止され、分離膜を薬液洗浄する際の薬液使用量が大幅に低減される。
【０００８】
このように、本発明に係る膜分離装置用洗浄装置は、配管内に堆積していた濁質等の除去を主目的とするものであるが、膜分離装置がヘッダー空間を備えたものである場合には、該ヘッダー内に堆積していた濁質等の剥離、脱落、除去にも効果を期待することができる。例えば、上記被処理水導入管が膜分離装置の被処理水導入側ヘッダーへと接続されており、上記洗浄用水排水管が、上記被処理水導入管の被処理水導入側ヘッダーへの接続部上流側の位置に接続されている構造とすることができる。このような構造においては、被処理水導入管を通過しそれに接続されている洗浄用水排水管を通して排出される洗浄用水の流れによって、被処理水導入側ヘッダー内にも多かれ少なかれ攪拌流が生じ、それによってヘッダー内に堆積していた濁質等が剥離、脱落し、脱落した濁質等洗浄用水の流れにのって、被処理水導入管内の濁質等とともに排出される。とくに、膜分離装置が縦型配置とされ、その下部側に上記被処理水導入側ヘッダーが位置し、ヘッダーの下方に被処理水導入管が位置する構造では、上記のような洗浄効果が得られる。ただし、膜分離装置としては例えば横置きで使用することが多いのでスパイラル型モジュールなどのようにヘッダーを備えていないことも多いので、その場合には主として前述した配管内に堆積していた濁質等の除去が行われることになる。なお、ここで言うヘッダーとは、後述の図１に示す如く、モジュールの上部または下部の６、８の部分を指している。
【０００９】
また、上記膜分離装置用洗浄装置は、とくに膜分離装置が複数並設されている場合に有効であり、この場合には、被処理水導入管および洗浄用水排水管が、各膜分離装置に対し共通の管として設けられている構造とすることができる。
【００１０】
さらに、上記膜分離装置用洗浄装置においては、上記被処理水導入管に加えて、膜分離装置からの濃縮水導出管も洗浄対象とすることができ、この場合には、上記洗浄用水を膜分離装置からの濃縮水導出管にも供給可能な洗浄用水供給系を備えている構造とすればよい。
【００１１】
上記膜分離装置の種類はとくに限定しないが、本発明はとくに中空糸分離膜を有するもの、つまり、中空糸膜モジュール（内圧型、外圧型の両方を含む）を用いたものに有用である。もちろん、スパイラル型膜モジュール、平膜モジュール、キャピラリ型膜モジュール、モノリス型膜モジュール等に対しても本発明を適用することができる。中でも、内圧型中空糸分離膜を有するものに対しては、中空糸分離膜内への濁質等の侵入を大幅に低減できるので、中空糸分離膜の薬液洗浄効果をより高めることができるとともに、所定の薬液洗浄効果を得るための薬液使用量を大幅に低減できる。また、分離膜自身についても特に限定されず、逆浸透膜やナノフィルトレーション膜はもちろんのこと、限外濾過膜や精密濾過膜に対しても本発明は適用可能である。
【００１２】
上記膜分離装置に対しては、薬液を通液して分離膜を洗浄する薬液洗浄系を設けることができる。この薬液洗浄系は循環系に構成することができ、薬液を循環させて分離膜の洗浄により有効に使用することができる。とくに、この薬液循環系に、固液分離装置が設けられていると、該固液分離装置により分離された薬液を効率よく洗浄に再利用できる。また、固液分離装置により分離された薬液を貯留する薬液タンクが設けられていると、分離された薬液を一層効率よく洗浄に再利用することが可能になる。この固液分離装置と薬液タンクは、共用することも、つまり一つの装置に両機能を持たせることも可能である。
【００１３】
本発明においては、この薬液の再利用を、前述の洗浄用水による配管洗浄とは独立に適用してもよく、それによって効率のよい薬液使用が可能になる。つまり、本発明は、膜分離装置に薬液を通液してその分離膜を洗浄するとともに該薬液を循環させる薬液循環系を有し、該薬液循環系に、固液分離装置を設けたことを特徴とする膜分離装置用洗浄装置の構成によっても成立する。薬液循環は、膜分離装置の濃縮水側に対して行ってもよく、透過水側から逆洗に似た形態にて行うことも可能である。濃縮水側に対して行う場合には、膜分離装置への被処理水導入管側と膜分離装置からの濃縮水導出管側との間に、薬液を膜分離装置に通液してその分離膜を洗浄するとともに該薬液を循環させる薬液循環系を有し、該薬液循環系に、固液分離装置を設ける構成とすればよい。このような構造に対しても、薬液循環系に、固液分離装置により分離された薬液を貯留する薬液タンクが設けられた構成を採用でき、固液分離装置と薬液タンクを共用した構成も採用できる。
【００１４】
本発明に係る膜分離装置用洗浄方法は、膜分離装置へ被処理水を導入する被処理水導入管に洗浄用水を供給して少なくとも該被処理水導入管を洗浄するとともに、洗浄後の水を、実質的に膜分離装置へは導入させずに該被処理水導入管を通過させ、該被処理水導入管に接続された洗浄用水排水管を通して排出することを特徴とする方法からなる。
【００１５】
この膜分離装置用洗浄方法においては、複数並設された膜分離装置に対し共通の管として設けられた被処理水導入管に洗浄用水を供給し、該被処理水導入管に接続された洗浄用水排水管を通して洗浄後の水を排出するようにすることができる。
【００１６】
また、上記被処理水導入管への洗浄用水供給に加え、洗浄用水を膜分離装置からの濃縮水導出管にも供給して少なくとも該濃縮水導出管を洗浄するようにすることもできる。
【００１７】
洗浄用水としては、上記被処理水（原水）を使用することもできるし、上記膜分離装置の透過水を使用することもできる。また、洗浄用水の通水方向としては、被処理水（原水）の通水方向と同一方向としてもよく、それとは反対方向とし、適当な位置で排水するようにしてもよい。
【００１８】
膜分離装置としては、前述の如く各種のものが適用でき、とくに中空糸分離膜を有するものに対して本発明は有効である。中でも、内圧型中空糸分離膜を有するものに有効である。
【００１９】
この洗浄方法においても、上記洗浄用水による洗浄後に、膜分離装置に対し薬液を通液して分離膜を洗浄することができる。この場合、膜分離装置に対しその分離膜を洗浄するための薬液を循環、通液するようにすると、薬液を効率よく洗浄に使用できる。とくに、洗浄に使用された薬液を固液分離し、分離された薬液を洗浄に再利用するようにすると、さらに効率のよい洗浄が可能になるとともに、所定の洗浄効果を得るための薬液使用量のさらなる低減が可能になる。
【００２０】
このような薬液を用いた洗浄方法のみでも、本発明による効果が得られる。すなわち、本発明は、膜分離装置に対しその分離膜を洗浄するための薬液を循環、通液するに際し、洗浄に使用された薬液を固液分離し、分離された薬液を洗浄に再利用することを特徴とする膜分離装置用洗浄方法としても成立する。この方法においても、分離された薬液を一旦薬液タンクに貯留した後洗浄に再利用することが好ましい。また、固液分離装置と薬液タンクを共用した構成を採用してもよい。
【発明の効果】
【００２１】
本発明に係る膜分離装置用洗浄装置および洗浄方法によれば、まず、少なくとも膜分離装置に至る被処理水導入管に洗浄用水を供給して該被処理水導入管内に堆積していた濁質等を除去し、除去した濁質等を膜分離装置側には流さずに洗浄用水排水管を介してそのまま排出するので、膜分離装置の上流側が効率よく洗浄されるとともに、除去した濁質等の分離膜への再付着を防止できる。この状態で分離膜に対して薬液洗浄を実施できるので、分離膜は極めて良好に洗浄されて所定の性能が回復され、その洗浄に消費される薬液の量が低減され、薬液使用量の大幅な低減が可能となる。したがって、効率のよい良好な洗浄を安価にかつ容易に実行できるようになる。
【００２２】
また、本発明に係る薬液の循環使用における固液分離を採用すれば、分離膜洗浄用の薬液を効率よく再利用でき、薬液使用量のさらなる低減はもちろんのこと、薬液洗浄時間の短縮をはかることもできる。
【発明を実施するための最良の形態】
【００２３】
以下に、本発明の望ましい実施の形態について、図面を参照して説明する。
図１は、本発明の一実施態様に係る膜分離装置用洗浄装置を示している。図１において、被処理水としての原水１は、ポンプ２により被処理水導入管３を介して、縦型に配置された膜分離装置４に送られる。膜分離装置４は一つまたは複数（本実施態様では、２つ）並設されており、被処理水導入管３は共通の導入側母管として設けられている。各膜分離装置４内には、分離膜モジュール５が収容されている。本実施態様では、分離膜モジュール５は、例えば逆浸透膜の中空糸膜モジュールからなり、とくに中空糸の内側に被処理水が加圧供給される内圧型の中空糸膜モジュールからなる。被処理水導入管３からの被処理水は、膜分離装置４の導入側ヘッダー６を介して分離膜モジュール５の各中空糸の内側に供給され、中空糸膜を透過した水が透過水７（処理水）として取り出され、中空糸膜内を通過し濃縮された水が、膜分離装置４の導出側ヘッダー８、濃縮水導出管９（導出側母管）を介して濃縮水１０として取り出されるようになっている。なお、１１は原水１の供給を制御する開閉弁を、１２は透過水７の送出を制御する開閉弁を、１３は濃縮水１０の送出を制御する開閉弁を、それぞれ示している。また、原水１としてはとくに限定されず、地下水、井戸水、河川水、湖水、雨水、工業用水、水道水、下排水処理水等が例示される。
【００２４】
被処理水導入管３には、該被処理水導入管３に供給された洗浄用水を実質的に膜分離装置４へは導入させずに該被処理水導入管３を通過させて排水する洗浄用水排水管１４が接続されている。本実施態様では、洗浄用水として、原水１が使用され、ポンプ２により供給された洗浄用水としての原水１が、開閉弁１５を開とすることにより、被処理水導入管３を通過されて被処理水導入管３内を洗浄した後、洗浄により除去された配管内濁質等とともに、洗浄用水排水管１４を通して排出される。この洗浄排水１６は、適宜放流等に供すればよく、濃縮水１０と合流させて排出してもよい。なお、本実施態様では、洗浄用水として原水１を使用したが、別の洗浄用水（例えば、透過水７）を使用してもよい。また、洗浄用水を膜分離処理時の被処理水の流れ方向と同じ方向に供給し、排出するようにしたが、被処理水導入管３中を逆方向に流れるように供給することも可能である。例えば、図１に２点鎖線で示すように、被処理水導入管３の下流側に洗浄用水供給管１７を接続し、上流側に、逆方向に流された洗浄後の水を排出する洗浄用水排水管１８を接続することもできる。
【００２５】
被処理水導入管３に洗浄用水としての原水１が導入されることにより、後述の薬液洗浄前に、予め、該被処理水導入管３内に付着や堆積していた濁質等が洗い流されて除去され、除去された濁質等が洗浄後の水とともに洗浄用水排水管１４を通して排出される。また、本実施態様では、とくに膜分離装置４が縦型に配置されており、導入側ヘッダー６を備えているので、洗浄用水の供給に伴って、各膜分離装置４の導入側ヘッダー６内の水も多かれ少なかれ攪拌されることになり、導入側ヘッダー６内および導入側ヘッダー６へと至る分岐管内に付着、堆積していた濁質等も剥離、脱落されることになり、脱落された濁質等も上記洗浄排水とともに系外へ排出される。その結果、単に洗浄用水としての原水１を供給し排出するだけの簡単な操作で、少なくとも被処理水導入管３内が良好に洗浄されることになる。とくに本実施態様では、被処理水導入管３が複数の膜分離装置４に対し母管の形態で設けられているので、この母管に一方向に洗浄用水を流すだけのごく簡単な操作で済む。そして、膜分離装置４の導入側、少なくとも被処理水導入管３内が予め良好に洗浄されることにより、次に行われる分離膜に対する薬液洗浄時に、循環される薬液を被処理水導入管３の洗浄に消費しないでも済むようになり、分離膜の薬液洗浄に使用される薬液の量を大幅に低減することができ、洗浄コストが大幅に削減される。また、分離膜の薬液洗浄時間の短縮をはかることも可能となる。
【００２６】
また、本実施態様では、バイパス管１９、開閉弁２０、２１を介して、洗浄用水としての原水１を導出側母管（濃縮水導出管９）側にも供給可能となっており、導出側母管に洗浄用水を供給することにより、導出側においても同様に良好な事前配管洗浄を行うことができる。導出側の配管洗浄を加えれば、分離膜の薬液洗浄に使用される薬液の量はさらに低減される。
【００２７】
膜分離装置４の分離膜の洗浄は、主として薬液によって行われる。本実施態様では、膜分離装置４に対して、開閉弁２１、２２、２３を有する薬液の循環系２４が設けられている。使用する薬液は、膜分離装置４の分離膜の種類や、処理対象となる被処理水の性状等に応じて選択すればよく、特に限定されないが、シュウ酸、クエン酸等の有機酸、硝酸、塩酸等の無機酸、苛性ソーダ等のアルカリ、次亜塩素酸ソーダ、ヒドラジン、界面活性剤などが例示される。有機酸を使用する場合には、腐敗防止のために、防腐剤を添加してもよい。
【００２８】
上記薬液の循環系２４には、固液分離装置２５と、該固液分離装置２５により分離された薬液を貯留する薬液タンク２６が設けられている。固液分離装置２５は、本実施態様では、沈澱分離装置に構成されており、沈澱された分離膜からの除去固形分等が、沈澱槽２７の底部から開閉弁２８を介して引き抜かれ、分離された上澄液が、例えば溢流堰２９を介して薬液タンク２６へと回収され、洗浄用に再利用される。固液分離を行うことにより、分離された薬液が効率よく洗浄に再利用され、その分全体としての薬液使用量が一層削減されることになる。
【００２９】
上記のように洗浄用水による配管の事前洗浄により、分離膜の洗浄に消費される薬液量は大幅に低減される。そして、固液分離装置２５を備えた薬液の循環系２４により薬液を再利用することにより、薬液使用量は一層大幅に削減される。このような薬液の循環系２４は、上記洗浄用水による配管の事前洗浄を伴わない場合にも、薬液使用量の低減効果を奏するものであり、この構成のみでも本発明が成立する。
【００３０】
図１に示した上記実施態様では、膜分離装置４を縦型形態（上下方向配置形態）で並設したが、横型形態（水平方向配置形態）とすることも可能である。例えば図２に示すように、ポンプ３１を介して送られてくる原水を導入側母管３２に供給し、原水を洗浄用水として使用する場合には、その導入側母管３２に洗浄用水排水管３３を接続して、開閉弁３４を介して洗浄排水３５を排出する。この導入側母管３２に対して、膜分離装置３６を横置き型にて並設し、導出側母管３７へと接続して、開閉弁３８を介して濃縮水３９を導出する。導出側配管洗浄のためには、図１に示したのと同様に、バイパス管４０、開閉弁４１、４２を設けておけばよい。その他の部分については、図１に示したのと同様に構成すればよい。
【実施例】
【００３１】
実施例１
図１に示した構成の装置を２系列用意し、所定時間通水して膜分離処理を行った後、予め被処理水導入管に洗浄用水としての原水を供給して洗浄用水排水管から排出し、しかる後に膜分離装置に対して、初期のＦｌｕｘ（透過流束）の９８％に回復するまで薬液洗浄を行った。
【００３２】
比較例１
上記実施例１において、洗浄用水による配管洗浄を行わずに、そのまま膜分離装置に対して初期のＦｌｕｘの９８％に回復するまで薬液洗浄を行った。
【００３３】
結果、所定の薬液洗浄効果を得るために必要な使用薬液量は、実施例１における使用薬液量を１００とした場合、比較例１における使用薬液量は１５０（実施例１に対する相対値）となった。このように、配管内の濁質等を予め除去、排出しておくことにより、消費される薬液量を大幅に低減することが可能であった。
【産業上の利用可能性】
【００３４】
本発明は、膜分離装置を備えたあらゆる系に適用可能であり、とくに分離膜に対し薬液洗浄を行って性能を回復させる装置に対し、容易にかつ安価に適用でき、薬液使用量の大幅な削減、ひいては装置ランニングコストの大幅な低減をはかることができる。
【図面の簡単な説明】
【００３５】
【図１】本発明の一実施態様に係る膜分離装置用洗浄装置の機器系統図である。
【図２】本発明の別の実施態様に係る膜分離装置用洗浄装置の部分概略機器系統図である。
【符号の説明】
【００３６】
１  原水
２  ポンプ
３  被処理水導入管（導入側母管）
４  膜分離装置
５  分離膜モジュール
６  導入側ヘッダー
７  透過水
８  導出側ヘッダー
９  濃縮水導出管（導出側母管）
１０  濃縮水
１１、１２、１３、１５、２０、２１、２２  ２３、２８  開閉弁
１４  洗浄用水排水管
１６  洗浄排水
１７  洗浄用水供給管
１８  洗浄用水排水管
１９  バイパス管
２４  薬液の循環系
２５  固液分離装置
２６  薬液タンク
２７  沈澱槽
２９  溢流堰
３１  ポンプ
３２  導入側母管
３３  洗浄用水排水管
３４、３８、４１、４２  開閉弁
３５  洗浄排水
３６  膜分離装置
３７  導出側母管
３９  濃縮水
４０  バイパス管
【図１】
2005046740.tif 000003
【図２】
2005046740.tif 000004
【手続補正書】
【提出日】平成16年6月3日(2004.6.3)
【手続補正１】
【補正対象書類名】明細書
【補正対象項目名】０００８
【補正方法】変更
【補正の内容】
【０００８】
このように、本発明に係る膜分離装置用洗浄装置は、配管内に堆積していた濁質等の除去を主目的とするものであるが、膜分離装置がヘッダー空間を備えたものである場合には、該ヘッダー内に堆積していた濁質等の剥離、脱落、除去にも効果を期待することができる。例えば、上記被処理水導入管が膜分離装置の被処理水導入側ヘッダーへと接続されており、上記洗浄用水排水管が、上記被処理水導入管の被処理水導入側ヘッダーへの接続部上流側の位置に接続されている構造とすることができる。このような構造においては、被処理水導入管を通過しそれに接続されている洗浄用水排水管を通して排出される洗浄用水の流れによって、被処理水導入側ヘッダー内にも多かれ少なかれ攪拌流が生じ、それによってヘッダー内に堆積していた濁質等が剥離、脱落し、脱落した濁質等は洗浄用水の流れにのって、被処理水導入管内の濁質等とともに排出される。とくに、膜分離装置が縦型配置とされ、その下部側に上記被処理水導入側ヘッダーが位置し、ヘッダーの下方に被処理水導入管が位置する構造では、上記のような洗浄効果が得られる。ただし、膜分離装置としては例えば横置きで使用することが多いスパイラル型モジュールなどのようにヘッダーを備えていないことも多いので、その場合には主として前述した配管内に堆積していた濁質等の除去が行われることになる。なお、ここで言うヘッダーとは、後述の図１に示す如く、モジュールの上部または下部の６、８の部分を指している。